(57)【要約】      （修正有）【課題】低コストで形成して設置することができ、メンテナンスが容易で、発光表示部において発光素子本体の存在が認識されずに発光表示が奇麗である看板を提供する。【解決手段】看板１は、前部に開口部２１を有する箱状の本体基部２０、及び開口部２１から内方へ延びる縁部２２を備えた表示部本体１０と、縁部２２の後側において後方へ発光可能に設置され、縁部２２に沿って並べられる複数のＬＥＤ素子とを備えており、表示部本体１０の開口部１３全体を覆うカバーを備えていない。【選択図】図１
0003184444.tif 000002
【実用新案登録請求の範囲】
【請求項１】
前部に開口部を有する箱状の本体基部、及び当該開口部から内方へ延びる縁部を備えた表示部本体と、
前記縁部の後側において後方へ発光可能に設置され、前記縁部に沿って並べられる複数の発光素子とを備えており、
前記表示部本体の開口部全体を覆うカバーを備えていない
ことを特徴とする看板。
【請求項２】
前記発光素子は、ＬＥＤ素子である
ことを特徴とする請求項１に記載の看板。
【請求項３】
前記本体基部の内面の一部又は全部に、ツヤ消しの塗装がなされており、又はマットマーキングシートが貼られている
ことを特徴とする請求項１又は請求項２に記載の看板。
【考案の詳細な説明】
【技術分野】
【０００１】
本考案は、発光素子を用いた看板に関する。
【背景技術】
【０００２】
発光素子の代表例であるＬＥＤを用いた看板として、下記特許文献１，２に記載のものが知られている。
特許文献１の看板は、複数のＬＥＤが搭載された基板を覆う光学レンズが設けられた照明装置を、複数個分散して配置することで形成されており、当該光学レンズは、ＬＥＤの重心を結んでなる多角形の重心を通る基板の法線を回転軸とした回転体形状とされている。
特許文献２の看板は、外箱の内側に、高反射率塗料を塗布し、側面に平行に仕切を立て、外箱の側面内側や仕切において横向きにＬＥＤを複数配置して、外箱を塞ぐ表示板を照らす内照式の看板とされている。
【先行技術文献】
【特許文献】
【０００３】
【特許文献１】特開２０１１−９５３２７号公報
【特許文献２】特開２０１１−１５８８７４号公報
【考案の概要】
【考案が解決しようとする課題】
【０００４】
特許文献１のものでは、複数のＬＥＤを有する基板を回転体形状の光学レンズで覆うような複雑な照明装置が複数必要になり、長いネオン管を用いた大型の発光看板の代替をする場合等においてコストが嵩み、修理も容易ではない。又、ＬＥＤの基板やレンズが発光表示部に配置されているため、そのままでは基板やレンズの縁が認識できてしまう可能性があり、これらを隠すために発光部全体を覆うスモークカバーを設ける必要が生じてしまう。
特許文献２のものでは、拡散シートや導光板が不要になり得るものの、透光性を有する表示板は必要であり、大型の看板等において表示板の形成が難しく、表示板の調達や形成にコストがかかり、表示板と外箱の組物の設置に手間がかかる。又、特許文献１と同様、ＬＥＤが発光表示部に配置されているため、ＬＥＤ自身の存在が目立つ可能性がある。
そこで、請求項１，２に記載の考案は、低コストで形成して設置することができ、メンテナンスが容易で、発光表示部において発光素子本体の存在が認識されずに発光表示が奇麗である看板を提供することを目的としたものである。
【課題を解決するための手段】
【０００５】
上記目的を達成するために、請求項１に記載の考案は、前部に開口部を有する箱状の本体基部、及び当該開口部から内方へ延びる縁部を備えた表示部本体と、前記縁部の後側において後方へ発光可能に設置され、前記縁部に沿って並べられる複数の発光素子とを備えており、前記表示部本体の開口部全体を覆うカバーを備えていないことを特徴とするものであり、請求項２に記載の考案は、前記発光素子がＬＥＤ素子であることを特徴とするものである。
【０００６】
又、請求項３に記載の考案は、上記目的に加えて、発光表示を更に均一化してより一層綺麗にする目的を達成するため、上記考案にあって、前記本体基部の内面の一部又は全部に、ツヤ消しの塗装がなされており、又はマットマーキングシートが貼られていることを特徴とする。
【考案の効果】
【０００７】
本考案によれば、開口部に内方へ延びる縁部を有する箱状の表示部本体における当該縁部の後側に、後方へ発光可能に設置された複数の発光素子を当該縁部に沿って並べ、表示部本体の開口部全体を覆うカバーは設置しないので、低コストで形成して設置することができ、メンテナンスが容易で、発光表示部において発光素子本体の存在が認識されずに発光表示が奇麗である看板を提供することができる、という効果を奏する。
【図面の簡単な説明】
【０００８】
【図１】本考案に係る看板の全体正面図である。
【図２】図１の看板における左表示部の（ａ）正面図，（ｂ）Ｂ−Ｂ線端面図，（ｃ）Ｃ部拡大図，（ｄ）Ｄ部拡大図である。
【考案を実施するための形態】
【０００９】
以下、本考案に係る実施の形態の例につき、適宜図面に基づいて説明する。尚、本考案の形態は、この例に限定されない。
図１は本考案に係る看板１の前面図である。看板１は、ここでは上下と左右がそれぞれ２メートル程度である太い「リ」の文字を表している。即ち、看板１は、「リ」の左表示部２と右表示部３を有している。尚、前後の大きさは２０センチメートル程度である。
【００１０】
図２の（ａ）は左表示部２の前面図であり、（ｂ）は左表示部２のＢ−Ｂ線端面図であり、（ｃ）は左表示部２のＣ部拡大図であり、（ｄ）は左表示部２のＤ部拡大図である。
左表示部２は、前方に開口した箱状の表示部本体１０と、複数の発光部１１，１１・・と、発光部１１同士を適宜結ぶ導線１２，１２・・を有しており、末端の導線１２，１２は、図示しない電源ユニットに接続されている。尚、右表示部３は、左表示部２と同様に形成される。
【００１１】
表示部本体１０は、表示したい形状に合わせた上下左右の面と後面を有する本体基部２０と、本体基部２０の前部の開口部２１に沿うように配置された、開口部２１から内方へ延びる面状の縁部２２を有する。尚、縁部２２の内側への張り出し量は５センチメートル程度であり、各発光部１１の短辺や各導線１２の太さより大きい寸法で内方に張り出している。縁部２２の内側の辺縁が、表示部本体１０の開口部１３となり、開口部１３には、透明アクリル板や導光板、表示板等の（開口部１３全体を覆う）カバーは張られていない。
本体基部２０の内面には、塗料が施されており、当該塗料による塗装がなされている。当該塗料は、任意の色彩（ここでは白色）を有する顔料あるいは染料を含む。又、当該塗料は、ツヤ消し材を含み、ここではいわゆる「全ツヤ消し」の状態とされている。
【００１２】
各発光部１１は、発光基板３０と、発光基板３０に搭載された発光素子としてのＬＥＤ素子３１，３１・・を有する。発光基板３０には、３個のＬＥＤ素子３１，３１・・が設けられている。発光基板３０は、長辺と短辺を有する矩形状であり、その長辺に沿って順次並ぶようにＬＥＤ素子３１，３１・・が配置されている。各ＬＥＤ素子３１は、発光基板３０における同じ側に搭載されている。各ＬＥＤ素子３１は、ここでは白色に発光する。尚、発光素子は、好ましくは指向性のある光を発するものであり、又消費電力の少ない（ネオン管や蛍光灯等より電力消費量の少ない）ものである。
各発光部１１は、表示部本体１０の縁部２２の後面に取り付けられている。より詳しくは、発光基板３０における各ＬＥＤ素子３１を搭載する側が後側となり、ＬＥＤ素子３１のない側が前側となって縁部２２の後面に接触するようにして取り付けられている。発光部１１，１１・・（ＬＥＤ素子３１，３１）は、表示部本体１０の開口部１３、本体基部２０の開口部２１、あるいは縁部２２に沿うように並べられている。その並べ方は、好ましくは所定のパターンに従ったものとされ、ここではコーナー部以外において等間隔となるように一列に並べられている。尚、コーナー部において発光部１１，１１は（他の箇所より）接近させて配置されている。
又、各導線１２も、縁部２２の後面に取り付けられている。
各発光部１１や各導線１２の取り付けは、好ましくはシーラントやコーキング等により防水処理を施して行われる。
各発光部１１や各導線１２は、縁部２２の内側の辺より内方へはみ出さないように配置される。
【００１３】
看板１の動作例を説明する。
電源ユニットをオンにすると、各導線１２を介して各発光部１１に対する給電がなされ、各ＬＥＤ素子３１が発光し、それらの後方へ光が照射される。
光は、表示部本体１０の内面において反射し、表示部本体１０の開口部１３から外方へ出る。光は、当該反射の際、内面の状態即ち塗料の影響を受ける。塗料に色彩があればその色彩を帯び、ここでは塗料が白色なので光は白色のままとなる。又、塗料が全ツヤ消しであるので光が良く乱反射し、指向性のある光であっても光源の映り込みが防止され、光の分布が均一化される。
このように、各ＬＥＤ素子３１の光が、表示部本体１０の内面における反射を経て、表示部本体１０の開口部１３から出るため、開口部１３にアクリル板等のカバーがなくても、左表示部２と右表示部３における開口部１３の全体がくまなく光って見え、看板１において一様に光る太い「リ」の文字が見えることとなる。看板１からの光は、光源である各ＬＥＤ素子３１から直接届かず、表示部本体１０により間接的に届く。又、各発光部１１や各導線１２が縁部２２の後側においてはみ出さないように設置されるため、前側の至近距離における真横や真上、真下から回り込むようにして見ない限り、各発光部１１や各導線１２自体が直接視認されることはなく、すっきりとした外観とされ、各発光部１１や各導線１２自体に気を取られ難く、発光表示部に注目され易くなる。
【００１４】
看板１が奏する作用効果を説明する。
看板１は、前部に開口部２１を有する箱状の本体基部２０、及び開口部２１から内方へ延びる縁部２２を備えた表示部本体１０と、縁部２２の後側において後方へ発光可能に設置され、縁部２２に沿って並べられる複数のＬＥＤ素子３１，３１・・とを備えており、表示部本体１０の開口部１３全体を覆うカバーを備えていない。
よって、表示部全体を覆うような部材が不要となり、制作コストを低減することができる。又、各発光部１１ないし各導線１２付きの表示部本体１０を設置すれば良く、大きなカバーの設置が不要であるため、設置のコストも低減される。従って、ネオン管の看板の代替等として導入する際のイニシャルコストを低減することができ、特に大型の看板においては大幅にコストを低減することができる。更に、カバーが割れたり破損したりすることがなく、開口部１３から各発光部１１にすぐにアクセスできるので、メンテナンスが容易であり、消費電力の低い発光素子（各ＬＥＤ素子３１）の採用も相まって、ランニングコストが低廉となる。
加えて、各発光部１１や各導線１２自体が直接視認されず、又各発光部１１からの光が表示部本体１０の内面での反射により間接的に届くので、表示部本体１０の開口部１３全体における発光表示が綺麗になされる。
【００１５】
又、看板１の表示部本体１０の本体基部１１の内面に、全ツヤ消しの塗料が施されている。
よって、ＬＥＤ素子３１，３１・・からの光を乱反射させて様々な方向に向かうようにし、表示部本体１０の開口部１３に満遍なく行き渡るようにして、開口部１３における発光表示をムラの極めて少ない均一なものとすることができる。
【００１６】
尚、主に上記形態を変更して成る、本考案の他の形態を例示する。
発光素子は、有機エレクトロルミネッセンス照明やこれとＬＥＤとの組合せとする。発光素子の配線を並列等他のものとする。
発光素子の照射方向を後方としたが、この後方には、後斜め内方や後斜め外方を含み得る。但し、上記形態のように、発光素子の照射方向を縁部に垂直な方向とすると、発光素子が設置し易い。
【００１７】
箱状の本体基部は、より細い文字としたり漢字やアルファベットとしたり筆記体としたりする等、表示内容に合わせて形状を変更することができるし、一部又は全部が曲面である内面を有して良いし、側面や後面において部分的に開口を有する状態であっても良い。又、一つの本体基部の前部に複数の開口部を備えさせ、少なくとも１個の開口部に縁部を配置するようにしても良い。
本体基部内面の塗装を省略しても良いし、全ツヤ消しでないツヤ消しの塗装を施しても良い。ツヤ消しの塗装であっても、発光の均一化を図ることができる。又、ツヤ消し塗装に代えて、あるいはツヤ消し塗装と共に、マットマーキングシートを貼りつけても良く、この場合にも発光の均一化を図ることができる。
本体基部と縁部は、１つの板材を折り曲げる等して一連に形成されていても良いし、別個の部材を結合して形成されても良い。本体基部あるいは延設部自体も、全体的に一体で形成されても良いし、複数の部分の結合により形成されても良い。
箱状の本体基部の開口部から延設する縁部の延設方向を内方としたが、この内方には、内側斜め後方や、内側斜め前方を含み得、部分により方向が変わるものを含み得る。又、縁部は、非連続的（断続的）に設けられたり、内側の辺が波状に形成されたりして良い。尚、上記形態のように、本体基部の後面が鉛直平面であり、本体基部の側面が後面に垂直であり、縁部が本体基部の側面に垂直であると、表示部本体が形成し易い。
表示部本体の開口部において、開口を有する透明あるいは不透明の板を設置しても良い。この場合、縁部は当該板あるいはこれと本体基部からの延設部により構成される。この場合であっても、当該板が開口を有するので、コストが低減される。
【００１８】
発光素子は、発光基板に搭載せず、縁部に直接設置しても良い。又、発光素子は、発光基板の長辺方向に延びる列が短辺方向に複数列並ぶように配置されても良いし、多角形の頂点位置に配置されても良いし、発光基板毎に変化させても良い。更に、発光基板は、縁部の幅方向に複数並べて設置されても良い。
発光素子や発光基板の設置数や互いの間隔は、発光素子の輝度や所望する明るさ、グラデーション（濃淡）の有無や程度、表示部本体の大きさ等により、適宜変更することができる。発光素子の輝度が、表示部本体の大きさに照らし、表示部本体の反対側まで光が届かない程度に不足していたとしても、表示部本体の縁から徐々に暗くなる綺麗なグラデーションで表示することができる。
【符号の説明】
【００１９】
１    看板
１０    表示部本体
１３    開口部（表示部本体）
２０    本体基部
２１    開口部（本体基部）
２２    縁部
３１    ＬＥＤ素子（発光素子）
【図１】
0003184444.tif 000003
【図２】
0003184444.tif 000004